(57)【要約】【課題】マンホール開口枠の開口を塞ぐマンホール蓋を取り外した場合に、マンホール蓋の置き場所の確保を不要にできるようにする。【解決手段】マンホール開口枠３は、マンホール１の開口２を形成する。マンホール開口枠３には、マンホール１の開口２を塞ぐようにマンホール蓋５が横にされた状態で取り付け可能である。マンホール開口枠３は、立てた状態のマンホール蓋５が挿入可能な挿入穴１５を形成する穴形成部９を有する。穴形成部９は、挿入穴１５に挿入されたマンホール蓋５を支持して立てた状態に保つ。【選択図】図３
2018003493.tif 000002
【特許請求の範囲】
【請求項１】
マンホールの開口を形成するマンホール開口枠であって、
該マンホール開口枠には、前記開口を塞ぐようにマンホール蓋が横にされた状態で取り付け可能であり、
前記マンホール開口枠は、立てた状態の前記マンホール蓋が挿入可能な挿入穴を形成する穴形成部を有し、
該穴形成部は、前記挿入穴に挿入された前記マンホール蓋を支持して前記立てた状態に保つ、マンホール開口枠。
【請求項２】
前記開口を塞ぐように前記マンホール蓋が取り付けられた状態で、前記穴形成部は、前記マンホール蓋の下方に位置する、請求項１に記載のマンホール開口枠。
【請求項３】
前記開口の深さ方向から見た場合に、前記穴形成部は、前記開口内において前記開口の中央から離れて位置している、請求項１または２に記載のマンホール開口枠。
【請求項４】
マンホールの開口を形成するマンホール開口枠と、蓋支持構造体とを有するマンホール用構造体であって、
前記マンホール開口枠には、前記開口を塞ぐようにマンホール蓋が横にされた状態で取り付け可能であり、
前記蓋支持構造体は、立てた状態の前記マンホール蓋が挿入可能な挿入穴を形成する穴形成部を有し、
該穴形成部は、前記挿入穴に挿入された前記マンホール蓋を支持して前記立てた状態に保ち、
前記蓋支持構造体は、前記マンホール開口枠の使用時に前記開口の水平方向外側に位置するものである、マンホール用構造体。
【請求項５】
請求項１〜３のいずれか一項に記載のマンホール開口枠、または、請求項４に記載のマンホール用構造体と、
前記開口を塞ぐように前記マンホール開口枠に取り付けられる前記マンホール蓋とを備えるマンホールの開口部構造体。
【請求項６】
前記マンホール蓋の表面と裏面の一方または両方には、光反射材と蛍光材の一方または両方で形成された光表示部が設けられている、請求項５に記載のマンホールの開口部構造体。
【発明の詳細な説明】
【技術分野】
【０００１】
本発明は、マンホールの開口を形成するマンホール開口枠と、このようなマンホール開口枠を備えるマンホール用構造体に関する。また、本発明は、マンホール開口枠とマンホール蓋とを備えたマンホールの開口部構造体に関する。
【背景技術】
【０００２】
マンホールは、地下に埋設された水道管設備、下水管設備、雨水管設備または電気通信設備の点検やメンテナンスなどのために設けられる。マンホールは、地上面に開口を有する。この開口を通して、マンホールに人が出入りできる。あるいは、この開口を通して、マンホール内の設備に対して作業（例えば点検やメンテナンス）を行える。マンホールの開口は、マンホール開口枠により形成される。通常時は、マンホール開口枠にマンホール蓋が取り付けられることにより、マンホールの開口は閉じられている。
このようなマンホール開口枠とマンホール蓋は、例えば下記の特許文献１に記載されている。
【先行技術文献】
【特許文献】
【０００３】
【特許文献１】特開２００６−２００２５９号公報
【発明の概要】
【発明が解決しようとする課題】
【０００４】
ところで、マンホールを低木の密植領域内に設ける場合がある。このような領域にマンホールを設けるのは、意匠的な配慮でマンホールを低木で隠すためである。例えば、マンションの入り口の近くにマンホールを設ける場合、上述のようにマンホールを低木で隠すことがある。
【０００５】
このようにマンホールを低木の密植領域内に設けた場合には、マンホール内の設備の点検やメンテナンスを行う時に、外したマンホール蓋を低木上には置けない。したがって、マンホール蓋の置き場所が近くにない。また、他の場合であっても、マンホール蓋の置き場所に困ることもありえる。
【０００６】
そこで、本発明の目的は、マンホール蓋の置き場所の確保を不要にできるマンホール開口枠とマンホール用構造体とマンホールの開口部構造体を提供することにある。
【課題を解決するための手段】
【０００７】
本発明によるマンホール開口枠は、マンホールの開口を形成するものであって、次のように構成される。マンホール開口枠には、マンホールの開口を塞ぐようにマンホール蓋が横にされた状態で取り付け可能である。マンホール開口枠は、立てた状態のマンホール蓋が挿入可能な挿入穴を形成する穴形成部を有する。穴形成部は、挿入穴に挿入されたマンホール蓋を支持して立てた状態に保つ。
本発明によるマンホール用構造体は、マンホールの開口を形成するマンホール開口枠と、蓋支持構造体とを有する。マンホール開口枠には、マンホールの開口を塞ぐようにマンホール蓋が横にされた状態で取り付け可能である。蓋支持構造体は、立てた状態のマンホール蓋が挿入可能な挿入穴を形成する穴形成部を有する。穴形成部は、挿入穴に挿入されたマンホール蓋を支持して立てた状態に保つ。蓋支持構造体は、マンホール開口枠の使用時にマンホールの開口の水平方向外側に位置するものである。
本発明によるマンホールの開口部構造体は、上述のマンホール開口枠とマンホール蓋を備える。
【発明の効果】
【０００８】
本発明によると、マンホール開口枠は、マンホール蓋を立てた状態で挿入可能な挿入穴を形成する穴形成部を有する。穴形成部は、挿入穴に挿入されたマンホール蓋を支持して立てた状態を保つ。
したがって、穴形成部がマンホール蓋の置き場所となる。また、穴形成部は、マンホール蓋を立てた状態に保つので、マンホール蓋がマンホール開口枠から水平方向外側へはみ出す量を抑えることができる。
よって、マンホール開口枠以外にマンホール蓋の置き場所を確保することが不要になる。
【図面の簡単な説明】
【０００９】
【図１】本発明の第１実施形態によるマンホールの開口部構造体を示す。
【図２】マンホール蓋を取り外したマンホール開口枠を示す。
【図３】マンホール蓋を立てて支持したマンホール開口枠を示す。
【図４】マンホールの開口の中央と穴形成部との位置関係を示す平面図である。
【図５】本発明の第２実施形態によるマンホールの開口部構造体を示す。
【図６】本発明の実施形態によるマンホール用構造体を示す。
【図７】マンホール開口枠の変更例１を示す
【図８】マンホール開口枠の変更例２を示す
【図９】マンホールの開口が角形の場合の一例を示す。
【図１０】マンホールの開口が角形の場合の他の例を示す。
【発明を実施するための形態】
【００１０】
本発明の実施形態を図面に基づいて説明する。なお、各図において共通する部分には同一の符号を付し、重複した説明を省略する。
【００１１】
［第１実施形態］
図１（Ａ）は、本発明の第１実施形態によるマンホール１の開口部構造体１０を示す平面図である。図１（Ｂ）は、図１（Ａ）のＢ−Ｂ断面図である。マンホール１の開口部構造体１０は、マンホール開口枠３とマンホール蓋５とを備える。
図２は、図１においてマンホール蓋５をマンホール開口枠３から取り外した状態を示す。図２（Ａ）は平面図であり、図２（Ｂ）は図２（Ａ）のＢ−Ｂ断面図である。
【００１２】
マンホール開口枠３は、図２のようにマンホール１の開口２を形成する。図２の例では、開口２は地上面４に位置する。マンホール蓋５は、図１のように、横にした状態でマンホール開口枠３に取り付けられて開口２を塞ぐ。マンホール蓋５は、例えば円形である。
【００１３】
マンホール開口枠３は、枠本体部７と穴形成部９を有する。
枠本体部７は、開口２を囲む周方向（以下で単に周方向という）に延びている。枠本体部７の内周面７ａが開口２を形成している。枠本体部７は、マンホール蓋５の外周部を下方から受ける蓋受面７ｂを有する。図２（Ａ）では、蓋受面７ｂは、周方向に延びた環状の面であり、上方側を向いている。
【００１４】
枠本体部７は、マンホール１の内壁面１１ａを形成する下部構造体１１の上端面１１ｂに固定されている。この固定は、例えば、周方向に間隔をおいて設けられた枠本体部７の取付部分７ｃとボルト１３によりなされる。取付部分７ｃは、枠本体部７の外周面７ｄから水平外方へ突出した部分である。ボルト１３の下端部は、下部構造体１１に固定されている。ボルト１３の中間部は、枠本体部７の取付部分７ｃを貫通している。ボルト１３の上端部にはナット１４が螺合している。このナット１４の締め付けにより取付部分７ｃが、ナット１４と下部構造体１１に挟み込まれて上端面１１ｂに固定されている。
【００１５】
穴形成部９は、図２のように挿入穴１５を形成している。図２の例では、挿入穴１５は、穴形成部９を鉛直方向（内周面７ａの軸方向）に貫通している。穴形成部９は、枠本体部７に結合されている。図２の例では、穴形成部９は２つの棒状部分９ａ，９ｂからなる。
【００１６】
図３は、本実施形態による穴形成部９の機能の説明図である。図３（Ａ）は平面図であり、図３（Ｂ）は図３（Ａ）のＢ−Ｂ断面図である。
【００１７】
図３のように、挿入穴１５には、マンホール蓋５を立てた状態で鉛直方向（内周面７ａの軸方向）に挿入可能である。穴形成部９は、挿入穴１５に挿入されたマンホール蓋５を支持する。これにより、マンホール蓋５は立てた状態に保たれる。
【００１８】
挿入穴１５は、第１〜第４の内面１５ａ〜１５ｄにより細長く形成されている。互いに対向する第１および第２の内面１５ａ，１５ｂの間隔は、挿入穴１５の幅に等しい。互いに対向する第３および第４の内面１５ｃ，１５ｄの間隔は、挿入穴１５の長さに等しい。
挿入穴１５の幅は、例えば、マンホール蓋５の厚みと同じであるか、あるいは、マンホール蓋５の厚みよりも僅かに大きい。なお、マンホール蓋５が挿入穴１５にきつく嵌まるように、挿入穴１５の幅が設定されていてもよい。
挿入穴１５の長さは、マンホール蓋５の最大幅（図では直径）よりも小さい。これにより、マンホール蓋５が挿入穴１５から落下しない。
【００１９】
第１および第２の内面１５ａ，１５ｂは、マンホール蓋５の表面と裏面を支える。第３および第４の内面１５ｃ，１５ｄ（例えば内面１５ｃ，１５ｄの上端）は、マンホール蓋５の端面を支える。
【００２０】
図１において、穴形成部９はマンホール蓋５の下方に位置する。すなわち、穴形成部９は、開口２を塞ぐようにマンホール開口枠３に取り付けられた状態のマンホール蓋５の下方に位置する。これにより、枠本体部７へのマンホール蓋５の取り付け時と、枠本体部７からのマンホール蓋５の取り外し時に、穴形成部９はマンホール蓋５の障害にならない。
【００２１】
図４は、マンホール１の開口２の中央Ｃと穴形成部９との位置関係を示す平面図である。図４において、鉛直方向に穴形成部９に重ならず連続している開口２の部分を、斜線を施した領域Ｒで示す。この領域Ｒは、人が通れる大きさに設定されている。すなわち、図３のようにマンホール蓋５を立てた状態で、人は領域Ｒを通ってマンホール１に出入りできる。
本実施形態では、図４に示すように、開口２の深さ方向（図では鉛直方向）から見た場合に、穴形成部９は、開口２の中央Ｃから離れて位置している。したがって、領域Ｒを広くとることができる。
【００２２】
なお、マンホール１の開口部構造体１０には、他の機構が設けられてもよい。例えば、マンホール蓋５が枠本体部７から外れないようにする適宜のロック機構（図示を省略）が設けられてよい。ロック機構は、図１のように開口２を塞いだマンホール蓋５を枠本体部７に固定した固定状態と、この状態が解除された解除状態との間で切り替え可能である。
【００２３】
上述した本実施形態によると、マンホール開口枠３は、マンホール蓋５を立てた状態で上下方向に挿入可能な挿入穴１５を形成する穴形成部９を有する。穴形成部９は、挿入穴１５に挿入されたマンホール蓋５を支持して立てた状態を保つ。したがって、穴形成部９がマンホール蓋５の置き場所となる。また、穴形成部９は、マンホール蓋５を立てた状態に保つので、マンホール蓋５がマンホール開口枠３から水平方向外側へはみ出す量を抑えることができる。よって、マンホール蓋５の置き場所を確保することが不要になる。例えば、開口部構造体１０が、低木が密植された領域内に設けられている場合、マンホール１内の点検時に、取り外したマンホール蓋５の置き場所に困ることがない。すなわち、マンホール蓋５を挿入穴１５に挿入し穴形成部９で支持した状態で、人はマンホール１に出入りできる。
【００２４】
［第２実施形態］
図５は、本発明の第２実施形態を示す。図５（Ａ）は、マンホール１の開口部構造体１０の平面図であり、図５（Ｂ）は、図５（Ａ）のＢ−Ｂ矢視図においてマンホール蓋５を穴形成部９に支持させた状態を示す。第２実施形態において、以下で説明しない点は上述の第１実施形態と同じである。
【００２５】
第２実施形態では、マンホール蓋５の表面と裏面の一方または両方（図５では両方）には、光反射材と蛍光材の一方または両方で形成された光表示部１７が設けられている。これにより、図５（Ｂ）のように立てた状態のマンホール蓋５を目立たせることができる。その結果、周囲に注意を促すことができる。
【００２６】
例えば、光表示部１７が光反射材で形成されている場合には、光表示部１７は受けた光を反射させるので、その視認性が向上する。光表示部１７が蛍光材で形成されている場合には、光表示部１７は受けた光により発光するので、その視認性が向上する。
【００２７】
［マンホール用構造体］
図６は、本発明の実施形態によるマンホール用構造体２０を示す。図６（Ａ）は平面図であり、図６（Ｂ）は図６（Ａ）のＢ−Ｂ断面図である。マンホール用構造体２０は、マンホール開口枠３と蓋支持構造体２１とを有する。
【００２８】
穴形成部９は、マンホール開口枠３には設けられず、蓋支持構造体２１に設けられている。このようにマンホール開口枠３は穴形成部９を有しないが、マンホール開口枠３の他の構成は、上述と同じである。また、穴形成部９は、マンホール開口枠３には設けられていない点で、その位置が上述と異なるが、穴形成部９の構成は上述と同じである。穴形成部９は、挿入穴１５の上端が地上に開口できるように地中に配置される。図６では、挿入穴１５に挿入されたマンホール蓋５を支持して立てた状態に保っている。図６（Ａ）では、穴形成部９は、マンホール蓋５を細い一点鎖線で示している。
【００２９】
図６の例では、蓋支持構造体２１は、挿入穴１５の底面１５ｅを形成する底面形成部２３を有する。ただし、底面形成部２３を省略してもよい。また、図６の例では、蓋支持構造体２１は、例えば結合部２５を介してマンホール開口枠３に結合されている。ただし、蓋支持構造体２１は、マンホール開口枠３から分離していてもよい。
【００３０】
蓋支持構造体２１は、図６に示すように、マンホール開口枠３の使用時にマンホール１の開口２の水平方向外側（この図の左右方向外側）に位置する。
【００３１】
このようなマンホール用構造体２０によると、上述の第１実施形態と同様の効果が得られる。また、マンホール用構造体２０では、マンホール蓋５を立てた状態で穴形成部９により支持した状態で、マンホール１の開口２が、穴形成部９とマンホール蓋５のいずれにも鉛直方向に重複しなくなる。したがって、開口２の広さをそのままに保つことが可能になる。
【００３２】
なお、マンホール蓋５は図６では鉛直方向に立てられているが、マンホール蓋５は、鉛直方向に対して斜めに立てた状態で穴形成部９に支持されてもよい。
また、挿入穴１５の長さ（図６（Ａ）の上下方向の長さ）は、マンホール蓋５の幅（この図では直径）以上であってもよい。この場合、マンホール蓋５の自重は、挿入穴１５の底面（例えば底面形成部２３）で支持される。
また、挿入穴１５にマンホール蓋５を挿入しない時には、挿入穴１５を塞ぐ蓋が穴形成部９の上面に取り外し可能に取り付けられてよい。これにより、挿入穴１５に土砂が入ることを防止できる。
【００３３】
なお、マンホール用構造体２０と、第１実施形態または第２実施形態で説明したマンホール蓋５とを有する構造体は、本発明のマンホール１の開口部構造体１０を構成する。
【００３４】
本発明は上述した実施の形態に限定されず、本発明の技術的思想の範囲内で種々変更を加え得ることは勿論である。例えば、上述の第１実施形態、第２実施形態、またはマンホール用構造体２０において、以下の変更例１〜４のいずれかを採用してもよいし、変更例１〜４の２つ以上を任意に組み合わせて採用してもよい。この場合、以下で述べない点は、上述と同じである。
【００３５】
（変更例１）
図７は、本発明のマンホール開口枠３の変更例１を示す。図７（Ａ）は、図１（Ａ）のＢ−Ｂ断面図であるが、マンホール蓋５をマンホール開口枠３から外した状態を示す。図７（Ｂ）は、図７（Ａ）においてマンホール蓋５を穴形成部９に支持させた状態を示す。
【００３６】
図７（Ａ）のように、挿入穴１５が、その深さ方向に延びている方向は、鉛直方向（内周面７ａの軸方向）から図７（Ａ）の左側（開口２の中央側）に傾いている。この傾きの角度は、例えば３０度以下の角度である。なお、図７の例では、挿入穴１５は、その深さ方向に穴形成部９を貫通している。
【００３７】
図７（Ｂ）の例では、挿入穴１５に挿入されたマンホール蓋５の上側部分は、開口２の外側へ傾いている。したがって、マンホール１への人の出入りが、（斜めに）立てた状態のマンホール蓋５に妨げられ難くなる。
【００３８】
（変更例２）
穴形成部９は、上述の挿入穴１５を形成し、挿入穴１５に挿入されたマンホール蓋５を立てた状態で支持できれば、他の構成を有していてもよい。例えば、図８の平面図のように、穴形成部９は、２つの棒状部分９ａ，９ｂと、棒状部分９ａ，９ｂに両端部が結合された補強部分９ｃ，９ｄとからなっていてもよい。
【００３９】
（変更例３）
なお、上述では、マンホール１に人が出入りする場合を説明したが、本発明は、小型のマンホール１にも適用できる。小型のマンホール１では、マンホール１内に人が入らずに、その開口２を通して、マンホール１内の設備に対して作業（例えば点検やメンテナンス）を行う。
【００４０】
（変更例４）
マンホール蓋５と開口２の平面図形状は、図１や図２などの円形に限定されず、他の形状（例えば角形）であってもよい。この場合の例を以下で説明する。
【００４１】
図９と図１０は、マンホール蓋５と開口２の平面図形状が角形（四角）である場合を示す。図９（Ａ）と図１０（Ａ）は平面図であり、図９（Ｂ）と図１０（Ｂ）はそれぞれ図９（Ａ）と図１０（Ａ）のＢ−Ｂ断面図である。
【００４２】
図９と図１０では、穴形成部９は、枠本体部７の内周面７ａとの間に挿入穴１５を形成している。図９では、挿入穴１５が角形内周面７ａの一辺に沿って形成されるように穴形成部９を設け、図１０では、挿入穴１５が角形開口２の角部近傍に形成されるように穴形成部９を設けている。
【００４３】
図９と図１０において、マンホール蓋５は、挿入穴１５に挿入され、立てた状態で穴形成部９に支持されている。これらの図において、マンホール蓋５は細い一点鎖線で図示されており、マンホール蓋５を透視して他の構造を図示している。
【００４４】
マンホール蓋５の角形表面は、複数の角部（図９と図１０では４つの頂点）５ａ〜５ｄを有している。図９と図１０では、マンホール蓋５を、角部５ｄから挿入穴１５に挿入して立てた状態にしている。
【符号の説明】
【００４５】
１  マンホール、２  開口、３  マンホール開口枠、４  地上面、５  マンホール蓋、７  枠本体部、７ａ  内周面、７ｂ  蓋受面、７ｃ  取付部分、７ｄ  外周面、９  穴形成部、１０  マンホールの開口部構造体、１１  下部構造体、１１ａ  内壁面、１１ｂ  上端面、１３  ボルト、１４  ナット、１５  挿入穴、１５ａ〜１５ｄ  第１〜第４の内面、１５ｅ  底面１７  光表示部、２０  マンホール用構造体、２１  蓋支持構造体、２３  底面形成部、２５  結合部
【図１】
2018003493.tif 000003
【図２】
2018003493.tif 000004
【図３】
2018003493.tif 000005
【図４】
2018003493.tif 000006
【図５】
2018003493.tif 000007
【図６】
2018003493.tif 000008
【図７】
2018003493.tif 000009
【図８】
2018003493.tif 000010
【図９】
2018003493.tif 000011
【図１０】
2018003493.tif 000012